(57)【特許請求の範囲】
【請求項１】
紙製のブランクシートにおける箱体通気口用の打ち抜き開口となる部分に該部分を囲むように接着剤を塗布または印刷して接着部を設け、
略直方体状の箱体を製函するためのブランクであって周辺に前記接着部を設けた前記打ち抜き開口と把手形成用の張り出しを有するブランクを、前記ブランクシートから打ち抜き形成し、
前記ブランクの前記接着部にかかるように合成樹脂製の不織布を対応させて、前記不織布をブランクに加熱圧着して、不織布に熱収縮を生じさせて前記打ち抜き開口に張設する不織布の貼り付け方法。
【請求項２】
紙製のブランクから製函して略直方体状の箱本体を備える紙製成形品であって、前記ブランクの打ち抜き開口の周辺に亘って接着剤の塗布または印刷からなる接着部が設けられていて、該接着部にかかるように配置されてブランクに加熱圧着された合成樹脂製の不織布により覆われている前記打ち抜き開口を箱本体の胴部に備え、前記箱本体胴部の一端部に、該一端部を閉じたフラップに連続する張り出しの重ね合わせによりなる把手を備えることを特徴とする紙製成形品。
【請求項３】
上記打ち抜き開口に対応する開口を有する補強シートが上記不織布を間にして上記ブランクに貼り付けられている請求項２に記載の紙製成形品。
【請求項４】
上記ブランクが製函されて内部に活性炭を収納可能な空間を有している請求項２に記載の紙製成形品。
【発明の詳細な説明】
【０００１】
【発明の属する技術分野】
本発明は通気するフィルタを得るための不織布の貼り付け方法と通気するフィルタを不織布の貼り付けにより得た紙製成形品に関するものである。
【０００２】
【発明が解決しようとする課題】
従来、内部に活性炭を収容した脱臭製品において、例えば大型精密機械にセットされるものとして金属製容器に活性炭を収容した製品がある。そして、この金属製容器は溶接や接着剤などにより組立、封緘されていて丈夫であり、通気性を確保しながら活性炭が漏れないようにした構造を備えている。
ところで、この種の脱臭製品の使用後は廃棄処分しなければならないが、上記金属製容器が廃棄処分し難いものとなっていて、例えば廃棄処分に際して焼却処理を行なう場合、金属製容器が残ってしまい焼却ゴミの取り扱いが困難になる。特に、この脱臭製品が医療用途に使用されている場合ではその使用後に医療廃棄物、産業廃棄物として焼却処理するために、焼却処理後に金属製容器が残ることが大きな問題となっている。このため、活性炭を収める容器自体を廃棄処分し易いものとするとともに、容器に通気性を確保できるようなフィルタ部分を設けるようにするか、あるいは活性炭を通気性のある不織布などの袋に収めて、これを通気口などが開口された廃棄処分容易な容器に収容した脱臭製品に代替えさせる必要が生じてきている。
【０００３】
一方、通気性の不織布からなる袋に活性炭を収めた従来商品としては、一般家庭の冷蔵庫などに置かれる小型の脱臭製品がある。しかし、この脱臭製品でも、ケースが合成樹脂成形品であるために上述した大型の脱臭製品と同様の問題がある。即ち、この脱臭製品を廃棄処分するときに内部の活性炭は焼却処分できるものの、ケースを焼却処分できずに不燃物として処分することとなりゴミの増大化を招いている。さらに、この脱臭製品の活性炭は合成樹脂製の通気性のある袋に入れた状態で収納されており、よって、使用期限を越えたものが継続的に多く廃棄され続けるようになると、合成樹脂製の袋も不燃ゴミの増加の原因になり易くなる。
このような合成樹脂製の袋を使用することによる不燃廃棄物の増加を少しでも抑えるために、合成樹脂製のケースに直接、活性炭を収納することも試みられ、ケースの通気部分には合成樹脂製の不織布を接着剤を介して貼り付けてフィルターを形成することが行われている。しかし、成型済みのケースの内部から不織布の貼り付けを行なうために接着が不安定であり、接着不良を生じて活性炭が漏れるという不具合が起き易い。
【０００４】
また、上述した脱臭製品の他にもフィルタを備える商品として換気扇の油汚れ防止フィルタが商品化され広く使用されている。この商品においても換気扇に取り付ける基体部分が合成樹脂成形品であったりアルミニウム薄板からなるものであるため、使用限度となって廃棄する場合でも焼却処分を行なうことができず、不燃ゴミとして処分しなければならないものとなっている。
そこで、本発明は上記事情に鑑み、脱臭製品や換気扇フィルタのようなフィルタを備える製品においてその焼却処分が行なえるようにすることを課題とし、不燃ごみの発生を抑えることを目的とする。
【０００５】
【課題を解決するための手段】
本発明は上記課題を考慮してなされたもので、紙製のブランクシートにおける箱体通気口用の打ち抜き開口となる部分に該部分を囲むように接着剤を塗布または印刷して接着部を設け、略直方体状の箱体を製函するためのブランクであって周辺に前記接着部を設けた前記打ち抜き開口と把手形成用の張り出しを有するブランクを、前記ブランクシートから打ち抜き形成し、前記ブランクの前記接着部にかかるように合成樹脂製の不織布を対応させて、前記不織布をブランクに加熱圧着して、不織布に熱収縮を生じさせて前記打ち抜き開口に張設する不織布の貼り付け方法を提供して、上記課題を解消するものである。
また、もう一つの発明は、紙製のブランクから製函して略直方体状の箱本体を備える紙製成形品であって、前記ブランクの打ち抜き開口の周辺に亘って接着剤の塗布または印刷からなる接着部が設けられていて、該接着部にかかるように配置されてブランクに加熱圧着された合成樹脂製の不織布により覆われている前記打ち抜き開口を箱本体の胴部に備え、前記箱本体胴部の一端部に、該一端部を閉じたフラップに連続する張り出しの重ね合わせによりなる把手を備えることを特徴とする紙製成形品であり、この紙製成形品を提供して上記課題を解消するものである。
そして、この発明においては、上記打ち抜き開口に対応する開口を有する補強シートが上記不織布を間にして上記ブランクに貼り付けられていることが可能であり、また、上記ブランクが製函されて内部に活性炭を収納可能な空間を有しているものとすることが可能である。
【０００６】
【発明の実施の形態】
つぎに本発明を図１から図１０に示す実施の形態に基づいて詳細に説明する。
図中１は紙製成形品で、該紙製成形品１では略直方体状とした箱本体２の内部に図示しない活性炭を収容することで、大型精密機械に装着する脱臭製品となるものである。この紙製成形品１の箱本体２において対向位置した一組の面それぞれには複数の通気口３が開口され、これらの通気口３は合成樹脂製の通気性のある不織布４が張設されて覆われている（図１〜図３参照）。
このように通気口３に通気性のある不織布４を張設することにより、この不織布４を通して箱本体２の内部から外部への通気、また外部から内部への通気を可能にしながら、箱本体２の内部に収容した活性炭が外部に漏れ出ないようにしたフィルタ５が形成され、このフィルタ５を複数有した脱臭製品が得られるようにしている。
【０００７】
上記箱本体２は上述したように略直方体状であって、角状の胴部の一端部は折り倒したフラップを重ね合わせて所要部を貼り合わせることで閉じられていて、胴部におけるもう一方の端部でも同様に、折り倒したフラップを重ね合わせて所要部を貼り合わせることで閉じられており、さらにこのもう一方の端部ではフラップそれぞれに連続する略Ｃ字状の張り出しを重ねることで把手６が形成され、この把手６が通る長孔を有した板材７をこの把手６側の端部に貼り合わせている。
板材７は紙製成形品１の落下時の衝撃を和らげて損傷が箱本体に影響を及ぼさないようにするものであって、図示されているように、この板材７を箱本体２の断面寸法より大きくして周辺部が張り出すように設けられている。また、前記板材７が位置する端部とは反対側の一方の端部においても、フラップによって内側を空部とした緩衝凸部８が設けられており、紙製成形品、即ち脱臭製品が落下したときには前記板材７の周辺部や緩衝凸部８が先に接地し変形して衝撃を吸収するように設けられている（図３）。
【０００８】
箱本体２においてフィルタ５を形成している上記不織布４は箱本体２の内方に位置しているものであって、通気口３の周辺の接着部９を介して前記通気口３が開口されている面板１０の内面に貼り合わされている。図４から図９は前記不織布４を貼り合わせてフィルタ５を形成する手順を示していて、まず、段ボール製やコートボール製などの紙製のブランクシート１１に上記通気口３となる部分を囲むようにして接着剤を塗布、または印刷にて施して接着部９を形成する（図４）。つぎにこの紙製のブランクシート１１に箱本体２を形成するための切り込み、折り罫入れを行ない、折り起こしにより箱本体２となるブランク１２を得る（図５）。このときに通気口３が打ち抜き形成される。
上記ブランク１２に対して、通気口３それぞれに対応する不織布４を上記接着部９にかかるようにして重ね合わせる（図６）。そして、不織布４側から接着部９に対応した圧着用金型１３を用いて不織布４をブランク１２に加熱圧着し、この不織布４をブランク１２に一度に貼り合わせる（図７）。なお、通気口３がある板材部分に対して補強が必要な場合には、図８に示したように不織布４の辺部及び不織布周辺に接着剤を塗布しておき、この状態のブランク１２に通気口３に対応した開口を有する板紙又は補強段ボールからなる補強シート１４を、前記通気口３と開口とを位置合わせしながら配置し、前記圧着用金型１３にて補強シート１４側から加熱圧着して不織布４を間にしながら補強シート１４も不織布４とともにブランク１２側に貼り付ける。勿論、補強の方法としてはこれに限定されるものではなく、段ボール材からなるリブを箱本体の内面側となる部分に貼り付けるようにするなど、各種の方法を採ることが可能である。
【０００９】
このようにして通気口３に不織布４を張設してなるフィルタ５を有したブランク１２が作成され（図９）、このブランク１２を製函工程にて折り起こしなどして上記箱本体２が組まれ、板材７を取り付けることで紙製成形品１が得られる。
なお、本発明の紙製成形品１は上述した大型の脱臭製品用のものに限定されるものではなく、一般家庭の冷蔵庫の内部に置く小型の脱臭製品に対しても、その小型の脱臭製品に対応した紙製のブランク１２を作成し、このブランクから製函することで小型の脱臭製品用の紙製成形品が得られる。
【００１０】
上述したように合成樹脂製の不織布４の貼り付けでは加熱圧着しているため、熱収縮を生じた状態でブランク１２側に貼り付けられることとなり、通気口３では不織布４が緊張状態にして張設される。また、平板状態の紙製のブランク１２に不織布４を圧着しているため、接着部９に対して不織布４の周辺が確実に接着されることとなる。よって、上記フィルタ５を有するブランク１２から製函された箱本体２の内部に活性炭を収容した脱臭製品としての紙製成形品にあっては、不織布４の周辺と通気口３が位置する板材との間では接着不良による隙間が生じず、箱本体２の内部に活性炭を直接収容しても活性炭の漏れが生じない。
【００１１】
フィルタ５を有している紙製成形品１である上記構造の脱臭製品を、大型精密機械に用いる大型の脱臭製品として作成した場合、不織布４以外の部分、即ち、紙材と活性炭とは共に可燃物であり、焼却処分できる対象である。また不織布４も、通気口３それぞれに独立した状態で貼り付けたり、通気口３が開口されている板材の内側一面に貼り付けたりしても少量（約５ｇ程度）で焼却時の助燃材程度にすぎず、この大型の脱臭製品を焼却処分しても、焼却炉側に悪影響を及ぼす高温度燃焼にはならない。
【００１２】
フィルタ５を有する本紙製成形品１は上述した脱臭製品を得るためのものに限定されない。フィルタを有する従来の合成樹脂製品は金属製品に代替えする形態を採ることができるものである。
【００１３】
上記紙製成形品１におけるフィルタ５の形成に際しては、上述したように紙製であるブランク１２の通気口３の周辺に設けた接着部９に重なるようにして不織布４を乗せ置いてから、圧着用金型１３により不織布４がブランク１２側に貼り合わされるようにしており、その圧着を加熱圧着とすることで不織布４側に熱収縮を生じさせて弛みなく張設している。
そして、この不織布４を通気口３に対して適正に配置するには、不織布４を圧着するためだけの専用の金型を用いることなく、ブランク１２から箱本体２を製函する圧着金型を不織布４をブランク１２に貼り付ける圧着用金型として兼用することも可能である。図１０はその例を示していて、一対の製函金型の一方の金型を圧着用金型１３とし、この圧着用金型１３の製函時に用いる固定ピン１５に、不織布４において設けた取付孔１６を掛け止めて上記通気口３に対応させておくことで、製函時に通気口３に不織布４が配置され、かつ型閉した圧着によって不織布４を貼り付けるようにすることかできる。
なお、上記接着部９に対応した位置では加熱されるようにしておく。また、上記固定ピンは型閉に際して後退するものである。
このようにすることで、不織布４が位置ずれすることなく適正位置に貼り付けることができる。
【００１４】
【発明の効果】
以上説明した本発明の不織布の貼り付け方法により、ブランクである段ボールやコートボールなどの紙材に簡単に貼り付けることができるとともに、不織布と紙材との間に隙間を生じさせることがない。さらにブランクの通気口を緩みなくきれいに張った状態の不織布で覆うことができ、フィルタの外観、強いてはフィルタを有する紙製成形品の外観を損なうことがない。
また、本発明の紙製成形品によって、これを焼却処分した際の焼却ゴミの増大や高温燃焼による焼却施設側の損傷を抑えることができ、フィルタを有する製品が不要物となったときの処分が簡単になるなど。実用性に優れた効果を奏するものである。
【図面の簡単な説明】
【図１】  本発明に係る紙製成形品の一例を示す説明図である。
【図２】  同じく一例を示す説明図である。
【図３】  一例を断面で示す説明図である。
【図４】  ブランクシートに接着部を形成した状態を示す説明図である。
【図５】  通気口を開けた状態のブランクを示す説明図である。
【図６】  不織布の配設を示す説明図である。
【図７】  圧着用金型による不織布の貼り付けを示す説明図である。
【図８】  補強シートの配設を示す説明図である。
【図９】  フィルタを有するブランクを示す説明図である。
【図１０】  不織布の金型への取付を示す説明図である。
【符号の説明】
１…紙製成形品
２…箱本体
３…通気口
４…不織布
５…フィルタ
９…接着部
１２…ブランク
１３…圧着用金型
１６…取付孔
【図１】
0004272831.tif 000002
【図２】
0004272831.tif 000003
【図３】
0004272831.tif 000004
【図４】
0004272831.tif 000005
【図５】
0004272831.tif 000006
【図６】
0004272831.tif 000007
【図７】
0004272831.tif 000008
【図８】
0004272831.tif 000009
【図９】
0004272831.tif 000010
【図１０】
0004272831.tif 000011